【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
割り当てられたアドレスを有するデバイスにアクセスする方法であって、
前記デバイスから、前記割り当てられたアドレスを受信することと、
前記割り当てられたアドレスをメモリロケーションに格納することと、
前記格納することに続いて、前記デバイスにアクセスするためのウェブクライアントからの要求をウェブプロキシサーバにおいて受信することと、
ここで、前記要求は、前記デバイスを固有に識別するデバイス識別子を備える、
前記デバイスにアクセスするための前記要求に応じて、前記デバイス識別子に基づいて前記デバイスの格納されたアドレスを識別することと
を備え、前記ウェブプロキシサーバは、前記割り当てられたアドレスに基づいて前記ウェブプロキシサーバによって確立された通信パスを介して前記ウェブクライアントから前記デバイスに前記要求を転送するための仲介として作用する、方法。
【請求項２】
前記割り当てられたアドレスは、動的に割り当てられたアドレスを備え、
更新された動的に割り当てられたアドレスを受信し前記メモリロケーションに格納することを備える、請求項１に記載の方法。
【請求項３】
前記デバイス識別子は、電話番号、モバイルＩＤ番号、国際モバイル加入者アイデンティティまたは国際モバイル機器アイデンティティを備える、請求項２に記載の方法。
【請求項４】
前記要求は、ＨＴＴＰ要求を備え、
前記ウェブプロキシサーバは、前記通信パスを通じて前記ＨＴＴＰ要求を転送する、請求項１に記載の方法。
【請求項５】
前記ウェブプロキシサーバは、静的アドレスを有するポータルウェブページを備え、
前記要求は、前記ポータルウェブページにおいて受信される、請求項１に記載の方法。
【請求項６】
前記デバイスはウェブサーバソフトウェアを有するモバイルデバイスを備え、
前記通信パスは、クライアントサーバセッションを備える、
請求項５に記載の方法。
【請求項７】
前記ウェブプロキシサーバは、商業的に利用可能な、既製で、実質的に非独自仕様ウェブプロキシサーバを備える、請求項１に記載の方法。
【請求項８】
デバイスにおいて、ネットワーク上で前記デバイスの仮想ロケーションを識別する割り当てられたアドレスを受信することと、
ここで、前記デバイスは、ウェブクライアントから前記デバイスにアクセスするための要求を受信するウェブプロキシサーバに、前記受信された割り当てられたアドレスを送信するように構成され、
前記要求は、前記デバイスを固有に識別するデバイス識別子を備える、
前記割り当てられたアドレスに基づいて前記デバイスと前記ウェブクライアントとの間の仲介として作用する前記ウェブプロキシサーバによって確立された通信パスにわたって、前記ウェブクライアントへ前記デバイスからのデータを配信することとを備える、方法。
【請求項９】
前記割り当てられたアドレスは、動的に割り当てられたアドレスを備え、
割り当てられたアドレス変更に応じて、更新された割り当てられたアドレスを前記ウェブプロキシサーバへ送信することを備える、請求項８に記載の方法。
【請求項１０】
前記デバイスは、ウェブサーバソフトウェアを有するモバイルデバイスを備え、
前記通信パスは、クライアントサーバセッションを備える、請求項８に記載の方法。
【請求項１１】
デバイスへの通信パスを開くための装置であって、
前記デバイスから、前記デバイスに割り当てられたアドレスを受信し、前記割り当てられたアドレスをメモリロケーションに格納するウェブプロキシサーバを備え、
前記ウェブプロキシサーバは、前記割り当てられたアドレスを格納することに続いて、前記デバイスにアクセスするための要求を受信し、
前記要求は、前記デバイスを固有に識別するデバイス識別子を備え、
前記ウェブプロキシサーバは、前記デバイスにアクセスするための前記要求に応じて、前記デバイス識別子に基づいて前記デバイスの格納されたアドレスを識別し、前記格納された割り当てられたアドレスに基づいて、前記要求の送信主と、前記ウェブプロキシサーバと、前記デバイスとの間で通信パスを開くための仲介として作用する、装置。
【請求項１２】
前記割り当てられたアドレスは、動的に割り当てられたアドレスを備え、
前記ウェブプロキシサーバは、更新された割り当てられたアドレスを受信し、前記メモリロケーションに格納する、請求項１１に記載の装置。
【請求項１３】
前記要求は、ＨＴＴＰ要求を備え、
前記ウェブプロキシサーバは、前記通信パスを通して前記ＨＴＴＰ要求を転送する、請求項１１に記載の装置。
【請求項１４】
前記デバイスは、ウェブサーバソフトウェアを有するモバイルデバイスを備え、
前記通信パスは、送り主と前記デバイスとの間のクライアントサーバセッションを備える、請求項１１に記載の装置。
【請求項１５】
前記ウェブプロキシサーバは、ウェブサーバソフトウェアを有する、商業的に利用可能な、既製で、実質的に非独自仕様ウェブプロキシサーバを備え、
前記既製のウェブサーバソフトウェアは、前記デバイス識別子に基づいて前記デバイスの格納された割り当てられたアドレスを識別し、前記要求の前記送信主と前記格納された割り当てられたアドレスとの間で前記通信パスを開くように構成される、請求項１１に記載の装置。
【請求項１６】
ネットワーク上のデバイスの仮想ロケーションを識別する割り当てられたアドレスを受信する前記デバイスを備え、
前記デバイスは、ウェブクライアントから前記デバイスにアクセスするための要求を受信するウェブプロキシサーバに前記割り当てられたアドレスを送信するように構成された、既製で、商業的に利用可能な、実質的に非独自仕様モバイルウェブサーバソフトウェアを備え、
前記要求は、前記デバイスを固有に識別するデバイス識別子を備え、
前記既製のモバイルウェブサーバソフトウェアは、前記割り当てられたアドレスに基づいて前記デバイスと前記ウェブクライアントとの間の仲介として作用する前記ウェブプロキシサーバによって確立された通信パスにわたって前記ウェブクライアントへ前記デバイスからのデータを配信するようにさらに構成される、システム。
【請求項１７】
前記既製のモバイルウェブサーバソフトウェアは、割り当てられたアドレス変更に応じて、前記割り当てられたアドレスの更新を前記ウェブプロキシサーバに送信するようにさらに構成される、請求項１６に記載のシステム。
【請求項１８】
前記既製のモバイルウェブサーバソフトウェアは、
前記デバイス識別子を前記割り当てられたアドレスと関連づけ、
前記ウェブプロキシサーバに前記割り当てられたアドレスと前記デバイス識別子を送信するようにさらに構成される、請求項１７に記載のシステム。
【請求項１９】
前記通信パスは、クライアントサーバセッションを備える、請求項１８に記載のシステム。
【手続補正２】
【補正対象書類名】明細書
【補正対象項目名】００７６
【補正方法】変更
【補正の内容】
【００７６】
ここにおいて開示された実施形態に関して記載された方法、シーケンスおよび／またはアルゴリズムは、直接ハードウェアにおいて、プロセッサによって実行されるソフトウェアモジュールにおいて、または、それらの２つの組み合わせにおいて、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られているいずれの他の形態の記憶媒体、において存在しうる。例示的な記憶媒体は、プロセッサが記憶媒体から情報を読み取ることができ、また記憶媒体に情報を書き込むことができるように、プロセッサに結合される。あるいは、記憶媒体は、プロセッサに一体化されうる。したがって、本発明の実施形態は、開示され、特許請求された実施形態を実行するための方法を具現化するコンピュータ可読媒体を含むことができる。したがって、本発明は、説明された例に限定されておらず、ここにおいて説明された機能を実行するためのいずれの手段も本発明の実施形態に含まれる。
以下に、本願出願の当初の特許請求の範囲に記載された発明を付記する。
［Ｃ１］
割り当てられたアドレスを有するデバイスにアクセスする方法であって、
前記割り当てられたアドレスをメモリロケーションに格納することと、
前記デバイスにアクセスするための要求をウェブプロキシサーバにおいて受信することと、
ここで、前記要求は、前記デバイスを固有に識別するデバイス識別子を備える、
前記デバイスにアクセスするための前記要求に応じて、前記デバイス識別子に基づいて前記デバイスの格納されたアドレスを識別することと
を備え、前記ウェブプロキシサーバは、通信パスを介して前記格納されたアドレスおよび前記ウェブプロキシサーバに前記要求を転送するための仲介として作用する、方法。
［Ｃ２］
前記割り当てられたアドレスは、動的に割り当てられたアドレスを備え、
更新された動的に割り当てられたアドレスを受信し前記メモリロケーションに格納することを備える、Ｃ１に記載の方法。
［Ｃ３］
前記デバイス識別子は、電話番号、モバイルＩＤ番号、国際モバイル加入者アイデンティティまたは国際モバイル機器アイデンティティを備える、Ｃ２に記載の方法。
［Ｃ４］
前記要求は、ＨＴＴＰ要求を備え、
前記ウェブプロキシサーバは、前記通信パスを通じて前記ＨＴＴＰ要求を転送する、Ｃ１に記載の方法。
［Ｃ５］
前記ウェブプロキシサーバは、静的アドレスを有するポータルウェブページを備え、
前記要求は、前記ポータルウェブページにおいて受信される、Ｃ１に記載の方法。
［Ｃ６］
前記デバイスはウェブサーバソフトウェアを有するモバイルデバイスを備え、
前記通信パスは、クライアントサーバセッションを備える、
Ｃ５に記載の方法。
［Ｃ７］
前記ウェブプロキシサーバは、商業的に利用可能な、既製で、実質的に非独自仕様ウェブプロキシサーバを備える、Ｃ１に記載の方法。
［Ｃ８］
デバイスにおいて、ネットワーク上で前記デバイスの仮想ロケーションを識別する割り当てられたアドレスを受信することと、
ここで、前記デバイスは、ウェブクライアントから前記デバイスにアクセスするための要求を受信するウェブプロキシサーバに、前記受信された割り当てられたアドレスを送信するように構成され、
前記要求は、前記デバイスを固有に識別するデバイス識別子を備える、
前記割り当てられたアドレスに基づいて前記デバイスと前記ウェブクライアントとの間の仲介として作用する前記ウェブプロキシサーバによって確立された通信パスにわたって、前記ウェブクライアントへ前記デバイスからのデータを配信することとを備える、方法。
［Ｃ９］
前記割り当てられたアドレスは、動的に割り当てられたアドレスを備え、
前記割り当てられたアドレス変更に応じて、更新された割り当てられたアドレスを前記ウェブプロキシサーバへ送信することを備える、Ｃ８に記載の方法。
［Ｃ１０］
前記デバイスは、ウェブサーバソフトウェアを有するモバイルデバイスを備え、
前記通信パスは、クライアントサーバセッションを備える、Ｃ８に記載の方法。
［Ｃ１１］
デバイスへの通信パスを開くための装置であって、
前記デバイスに割り当てられたアドレスを受信し、前記割り当てられたアドレスをメモリロケーションに格納するウェブプロキシサーバを備え、
前記ウェブプロキシサーバは、前記デバイスにアクセスするための要求を受信し、
前記要求は、前記デバイスを固有に識別するデバイス識別子を備える、
前記ウェブプロキシサーバは、前記デバイスにアクセスするための前記要求に応じて、前記デバイス識別子に基づいて前記デバイスの格納されたアドレスを識別し、前記要求の送信主と、前記ウェブプロキシサーバと、前記格納された割り当てられたアドレスとの間で通信パスを開くための仲介として作用する、装置。
［Ｃ１２］
前記割り当てられたアドレスは、動的に割り当てられたアドレスを備え、
前記ウェブプロキシサーバは、更新された割り当てられたアドレスを受信し、前記メモリロケーションに格納する、Ｃ１１に記載の装置。
［Ｃ１３］
前記要求は、ＨＴＴＰ要求を備え、
前記ウェブプロキシサーバは、前記通信パスを通して前記ＨＴＴＰ要求を転送する、Ｃ１１に記載の装置。
［Ｃ１４］
前記デバイスは、ウェブサーバソフトウェアを有するモバイルデバイスを備え、
前記通信パスは、前記送り主と前記デバイスとの間のクライアントサーバセッションを備える、Ｃ１１に記載の装置。
［Ｃ１５］
前記ウェブプロキシサーバは、ウェブサーバソフトウェアを有する、商業的に利用可能な、既製で、実質的に非独自仕様ウェブプロキシサーバを備え、
前記既製のウェブサーバソフトウェアは、前記デバイス識別子に基づいて前記デバイスの格納された割り当てられたアドレスを識別し、前記要求の前記送信主と前記格納された割り当てられたアドレスとの間で前記通信パスを開くように構成される、Ｃ１１に記載の装置。
［Ｃ１６］
ネットワーク上の前記デバイスの仮想ロケーションを識別する割り当てられたアドレスを受信するデバイスを備え、
前記デバイスは、ウェブクライアントから前記デバイスにアクセスするための要求を受信するウェブプロキシサーバに前記割り当てられたアドレスを送信するように構成された、既製で、商業的に利用可能な、実質的に非独自仕様モバイルウェブサーバソフトウェアを備え、
前記要求は、前記デバイスを固有に識別するデバイス識別子を備え、
前記既製のモバイルウェブサーバソフトウェアは、前記割り当てられたアドレスに基づいて前記デバイスと前記ウェブクライアントとの間の仲介として作用する前記ウェブプロキシサーバによって確立された通信パスにわたって前記ウェブクライアントへ前記デバイスからのデータを配信するようにさらに構成される、システム。
［Ｃ１７］
前記既製のモバイルウェブサーバソフトウェアは、前記割り当てられたアドレス変更に応じて、前記割り当てられたアドレスの更新を前記ウェブプロキシサーバに送信するようにさらに構成される、Ｃ１６に記載のシステム。
［Ｃ１８］
前記既製のモバイルウェブサーバソフトウェアは、
前記デバイス識別子を前記割り当てられたアドレスと関連づけ、
前記ウェブプロキシサーバに前記割り当てられたアドレスと前記デバイス識別子を送信するように構成される、Ｃ１７に記載のシステム。
［Ｃ１９］
前記通信パスは、クライアントサーバセッションを備える、Ｃ１８に記載のシステム。